(57)【要約】【課題】異形ボール、特にダブルボールを効率よく除去することが可能な微小ボール選別用篩を提供する。【解決手段】直径２Ｒが１ｍｍ以下４０μｍ以上の微小ボールを選別する微小ボール選別用篩10において、篩孔2と、前記篩孔2を通過した前記微小ボール4の移動方向を変化させる邪魔部3とを有し、前記篩孔2の出口側表面と前記邪魔部3との距離をＳとすると、前記邪魔部3はＲ＜Ｓ＜４Ｒの関係が成り立つ位置に設けられていることを特徴とする。【選択図】図１
2014076424.tif 000002
【特許請求の範囲】
【請求項１】
直径２Ｒが１ｍｍ以下４０μｍ以上の微小ボールを選別する微小ボール選別用篩において、
篩孔と、
前記篩孔を通過した前記微小ボールの移動方向を変化させる邪魔部と
を有し、
前記篩孔の出口側表面と前記邪魔部との距離をＳとすると、前記邪魔部はＲ＜Ｓ＜４Ｒの関係が成り立つ位置に設けられており、
前記篩孔の直径をＬ、前記篩孔に対する前記邪魔部の突出長さをｔとすると、
前記距離ＳがＲ＜Ｓ＜Ｌである場合、０＜ｔ＜Ｌ−√（Ｌ２−Ｓ２）、
前記距離ＳがＬ≦Ｓ＜４Ｒである場合、ｔ＞０かつ（Ｌ−ｔ）２＋Ｓ２＜９Ｒ２
となるように前記邪魔部が形成されていることを特徴とする請求項１記載の微小ボール選別用篩。
【請求項２】
前記距離Ｓが、２Ｒ＜Ｓ≦３Ｒであることを特徴とする請求項１記載の微小ボール選別用篩。
【発明の詳細な説明】
【技術分野】
【０００１】
本発明は、１ｍｍ以下４０μｍ以上の微小ボールを選別する微小ボール選別用篩に関するものである。
【背景技術】
【０００２】
高い真球度と狭い球径分布が必要とされる微小ボール（シングルボールともいう）の製造においては、混入している球径の異なるボールや異形ボールの除去が行われている。金属の微小ボールを製造する方法として、例えば、アトマイズ法などがある。アトマイズ法では、溶融金属を液滴に分割し、液滴を表面張力により球状化し、凝固させ、固体の微小ボールを形成する。球状化が不十分の場合には回転楕円体のような紡錘形状ボールとなる。また、凝固過程で2個のボールが溶着した場合、ダブルボールとなる（図8）。したがって、これら異形ボールを除去しなければならない。特に、はんだボール、ベアリングボール、標準規格ボール、スペーサーボール等の用途では、異形ボールの除去が重要となる。
【０００３】
異形ボールの選別については、例えば、微小ボールをＶ溝に転がして選別する装置が提案されている（特許文献１）。この特許文献１に係る球体の選別装置は、上流から下流に向かって下方へ傾斜した傾斜板の表面に、上流から下流へ複数のＶ溝が平行に形成されている。このＶ溝の高い方から微小ボールを供給すると、異形ボールはＶ溝の途中で止まるか、板の最下部の直下に流れ落ちる。一方、良品はある程度の放物線を描いて板外へ落下するので、この落下点の差を利用して、異形ボールを選別する手法である。
【０００４】
また、球径の選別と異形ボールの除去を同時に行う方法として、長方形や楕円の篩目を持った篩板上を転がして選別する方法も提案されている（特許文献２）。この場合、長方形の長辺あるいは楕円の長軸を板の傾斜方向に並行に複数配置し、この板の高い方から微小ボールを供給すると、異形ボールは篩目に補足されるか、篩傾斜面の転がり速度が遅くなって落下点が手前（飛距離が短くなる）になる。短辺の長さあるいは短軸の長さを調節することにより、紡錘形状ボールは篩い落とされる。また、ダブルボールや雪だるまボールは、接合部が短辺や長軸の短部に挟まれることで捕捉され、落下しないことから、良品として回収されない。篩目の形状の設定によって、球径の選別と異形ボールの除去が同時に行うことが可能なものであると提案されている。
【０００５】
特許文献３には、2枚の、孔の配列ピッチが同一である篩を、一定間隔に平行に配置し、2枚の篩孔を同一平面に投影した時の孔の重なりの面積が９０％以下となるように2枚の篩を配置し、2枚の篩の間隔が孔の最短長の１．１倍から２．５倍とした篩ユニットが開示されている。孔の重なりを９０％以下とすることで、棒状の異形ボールが通過できないことから、異形除去が可能であると提案されている。
【先行技術文献】
【特許文献】
【０００６】
【特許文献１】特開2001-300429号公報
【特許文献２】特開2006-122826号公報
【特許文献３】特開2003-225586号公報
【発明の概要】
【発明が解決しようとする課題】
【０００７】
従来の異形除去用の選別装置あるいは選別用篩には上述した利点があるが、次のような課題がある。まず、特許文献１のようにＶ溝を転がす場合、異形ボールはＶ溝の途中で止まってしまうことが多く、後続の良品ボールもせき止められてしまい、選別の効率が低下してしまうことが多い。特に、直径１ｍｍ以下の微小ボールを選別する場合に多く見られ、更に、直径３００μｍ以下の微小ボールを選別する場合に顕著になる。前記問題を少なくするためには、篩に与えるバイブレータの振動を精密に制御すれば可能であるが、前記制御が精密で複雑であるという問題が生ずる。
【０００８】
特許文献２の選別用篩は、選別する球径が小さい場合には、高精度の篩目を工業的に作製する必要があり、そのため、篩の板厚が非常に薄くなってしまい、剛性を保つことが難しくなる。剛性が十分でない篩では、ボールが飛び跳ねたりして、ボールの転がし用に適さなくなってくる。また、異形ボールが篩目を飛び越さないようにするため、転がり速度を小さくする必要が多く、スループットが低くなる傾向がある。あるいは、捕捉されたダブルボールが後続のボールの衝突による衝撃により分断され異形ボールが良品に混入してしまう、といった問題が生じてしまう。前記問題は、直径１ｍｍ以下の微小ボールを選別する場合に現れ、直径３００μｍ以下の微小ボールを選別する場合には篩の板厚を数十μｍにしなければならず、前記問題が顕著に現れる。
【０００９】
特許文献３の篩ユニットは、2枚の篩を通過させるため、1枚の篩を通過する時間の2倍以上の時間がかかる。これは、2枚目の篩は、篩の上部空間が1枚目の篩で制限されているために、微小ボールが篩孔に落ち込む確率が著しく減少してしまうためである。その結果、微小ボールを選別するのに、長時間を要するということになる。
【００１０】
本発明は、上記のような問題に鑑みてなされたものであり、異形ボール、特にダブルボールを効率よく除去することが可能な微小ボール選別用篩を提供することを目的とする。
【課題を解決するための手段】
【００１１】
本発明者らは、高度な形状管理が要求される微小ボールの形状選別において、異形ボール除去が的確かつ高速に行える方法を検討した。その結果、球径分布上側の球径外れを除去する篩において、微小ボール落下方向の篩経路を、真球に近い微小ボールだけが通過でき、異形ボールが通過できない幾何学的な形状とすることが、選別能力が高く的確であり、高速であることを見出し、本発明に至った。すなわち、本発明の要旨とするところは以下のとおりである。
【００１２】
請求項１に係る発明は、直径２Ｒが１ｍｍ以下４０μｍ以上の微小ボールを選別する微小ボール選別用篩において、篩孔と、前記篩孔を通過した前記微小ボールの移動方向を変化させる邪魔部とを有し、前記篩孔の出口側表面と前記邪魔部との距離をＳとすると、前記邪魔部はＲ＜Ｓ＜４Ｒの関係が成り立つ位置に設けられており、前記篩孔の直径をＬ、前記篩孔に対する前記邪魔部の突出長さをｔとすると、前記距離ＳがＲ＜Ｓ＜Ｌである場合、０＜ｔ＜Ｌ−√（Ｌ２−Ｓ２）、前記距離ＳがＬ≦Ｓ＜４Ｒである場合、ｔ＞０かつ（Ｌ−ｔ）２＋Ｓ２＜９Ｒ２となるように前記邪魔部が形成されていることを特徴とする。
【００１３】
請求項２に係る発明は、前記距離Ｓが、２Ｒ＜Ｓ≦３Ｒであることを特徴とする。
【発明の効果】
【００１４】
本発明によれば、異形ボール、特にダブルボールを効率よく除去でき、微小ボールを効率よく選別することができる。
【図面の簡単な説明】
【００１５】
【図１】本発明の微小ボール選別篩の立体構成例である。
【図２】ダブルボールとの関係を示す縦断面図であり、（Ａ）従来の篩の例、（Ｂ）本発明の微小ボール選別用篩の一例である。
【図３】本発明の微小ボール選別篩の縦断面図である。
【図４】本発明の微小ボール選別篩の一例（距離Ｓが、Ｒ＜Ｓ＜Ｌ（ここで、Ｌは、篩孔の直径である。）である場合）である。
【図５】本発明の微小ボール選別篩の一例（距離Ｓが、Ｌ≦Ｓ＜４Ｒである場合である。）
【図６】本発明の微小ボール選別篩の篩側上部からの投影図における篩孔、邪魔部、連結部の位置関係の例を示す図であり、（Ａ）本実施形態、（Ｂ）変形例１、（Ｃ）変形例２を示す図である。
【図７】本発明の微小ボール選別用篩の邪魔部の先端の変形例を示す例である。
【図８】微小ボールの選別に関し、（Ａ）正常なボール、（Ｂ）ダブルボールの例である。
【発明を実施するための形態】
【００１６】
以下に、本発明の微小ボール選別用篩について詳細に説明する。
【００１７】
図1に示す微小ボール選別用篩10は、篩孔2が形成された篩本体1と、前記篩孔2の下流側に設けられた邪魔部3とを有し、篩孔2と邪魔部3との間に選別された微小ボール4が通過する開口8が形成されている。篩本体1と邪魔部3とは連結部5により一体化されている。この微小ボール選別用篩10は、篩孔2、開口8の順にボールを通過させることにより、直径２Ｒ（Ｒは、半径である。）が、１ｍｍ以下４０μｍ以上である微小ボール4を異形ボールと選別し得るように構成されている。なお、以下の説明において、異形ボール以外のボールを微小ボール4と呼ぶ。
【００１８】
本実施形態の場合、篩本体1は、板状の部材で構成され、板厚方向、すなわち図中上下方向に篩孔2が穿設されている。篩孔2は、所定間隔をあけて複数形成されている。また、邪魔部3は、篩孔2の下流側、すなわち下方に配置され、先端が篩孔2を塞ぐように突出してなる。この邪魔部3は、篩本体1と平行に配置された板状部材で構成されている。連結部5は、邪魔部3の一辺と篩本体1との一辺とを連結してなり、邪魔部3の一辺と略同じ長さを有する。また、連結部5は、邪魔部3や篩本体1とどのような接着方法で接着されていてもよいが、例えば、接着剤、ろう付けによる接着、溶接による接着、一体成形や加工、等の方法が挙げられる。
【００１９】
本発明に係る篩孔2に関し、その孔径Ｌは、上述のように、直径２Ｒが１ｍｍ以下４０μｍ以上である微小ボール4を選別できる大きさである。選別したい微小ボール4の直径（狙い径）を２Ｒとすると、篩孔2の孔径Ｌは、微小ボール4の狙い径２Ｒよりも大きくする。篩孔2の孔径Ｌは、微小ボール4の狙い径２Ｒに対して、２Ｒ＜Ｌ＜２．２Ｒとするのが、選別精度を確保する上でより好ましく、２Ｒ＋球径公差とすることが更に好ましい。したがって、本発明の微小ボール選別用篩10では、狙い径２Ｒより大きい径のボールを篩い残し、狙い径以下の微小ボールを篩い落とすものであり、上篩とも呼ばれ、スループットの高い工程である。通常、前記上篩いの後に、狙い径より小さい径の微小ボールを篩い落とし、狙い径にある微小ボール4の良品を捕集する。この工程は、下篩とも呼ばれ、上篩よりもスループットが低い。特許文献１，２にあるような転がしによる落下点の差による異形ボールを除去する異形除去法ではスループットが低い。したがって、前記上篩工程に、ダブルボール101や紡錘形状ボール等の異形ボールを除去できる機能を付加することでスループットの高い、高速の異形ボール除去が可能となる。
【００２０】
本発明に係る篩本体1の板厚は、特に限定されるものではないが、選別する微小ボール4のサイズ（直径）に対して、板厚が厚くなり過ぎると篩孔2が長くなるので、微小ボール4が篩孔2を通過するのに時間がかかりすぎる場合がある。篩本体1の板厚が薄くても微小ボール4の選別には影響ないが、板厚が薄すぎると篩本体1自体の強度が十分でない場合が生じる。よって、篩本体1の板厚は、微小ボール4の直径２Ｒの１５倍以下がより好ましく、更に好ましくは、１０倍以下である。また、篩本体1の板厚の好ましい下限は、材質にもよるが、３０μｍ以上が好ましく、更に好ましくは、５０μｍ以上である。
【００２１】
本発明に係る邪魔部3の板厚は、特に限定されるものではなく、どのような板厚であってもその効果が得られるものであるが、板厚が薄くなりすぎると邪魔部3の強度が十分得られなかったり、ボールの衝突の衝撃で変形したりする場合がある。よって、邪魔部3の板厚は、２０μｍ以上であるのがより好ましく、更に好ましくは４０μｍ以上である。邪魔部3の板厚は、材質の比重や剛性にもよるが、あまり厚くなると邪魔部3が重くなるので、固定されている篩に対して、たわみや変形等の影響を与える場合がある。よって、邪魔部3の板厚は、篩本体1の板厚の１０倍以下であるのが、より好ましい。邪魔部3と篩本体1が同じ材質である場合には、邪魔部3の板厚は、篩本体1の板厚の３倍以下がより好ましい。
【００２２】
上記のように構成された微小ボール選別用篩10において、篩本体1上面側に異形ボールが混入したボール群を投入すると、まず、ボールは篩孔2を通過する。篩孔2を通過したボールは邪魔部3に当接して移動方向が変化する。このとき、当該ボールが微小ボール4である場合、当該微小ボール4は開口8を通過することができる。一方、当該ボールが異形ボールの場合、当該異形ボールは開口8を通過することができない。このようにして、微小ボール選別用篩10は、異形ボールが混入したボール群から微小ボール4を効率よく選別することができる。
【００２３】
図2(A)に例示したような従来の篩100では、サイズの異なる微小ボールを選別できるが、ダブルボール101は、篩孔2に対する方向によっては当該篩孔2を通過してしまう。
【００２４】
これに対し、本発明の微小ボール選別用篩10は、篩孔2直下に邪魔部3を有することにより、図2(B)に例示したように、ダブルボール101が篩孔2に入ったとしても、当該ダブルボール101は邪魔部3によって通過できない。したがって、本発明に係る微小ボール選別用篩10は、異形ボール、特にダブルボール101を効率よく除去することができる。
【００２５】
図3に示すように、前記篩孔2出口面から前記邪魔部3までの距離Ｓを、Ｒ＜Ｓ＜４Ｒとすることによって、ダブルボール101や紡錘形状ボール等の異形ボールを効率よく除去できる。距離Ｓが、微小ボールの半径（Ｒ）以下であると、選別されるべき微小ボール4自体も開口8を通過できないので、微小ボール4を選別できない。また、微小ボール4が通過できるように、邪魔部3による篩孔2の閉塞部分を小さくしたとしても、ダブルボール101も容易に通過してしまい、選択性が悪くなる。距離Ｓが、微小ボール4の直径の2倍（４Ｒ）以上であると、ダブルボール101が開口8を容易に通過できるようになり、邪魔部3による効果が無くなる。距離Ｓは、２Ｒ＜Ｓ≦３Ｒであるのがより好ましい。即ち、距離Ｓが、微小ボール4の直径（２Ｒ）より大きく、微小ボール4の直径の１．５倍（３Ｒ）以下である方が、より効率よく微小ボール4を選別できる。
【００２６】
図4に示す微小ボール選別用篩10Aは、篩孔2出口面から邪魔部3Aまでの距離Ｓが、Ｒ＜Ｓ＜Ｌ（ここで、Ｌは、篩孔2の直径である。）の場合である。この場合、篩孔2の一端部から当該篩孔2の中心方向へ突出した邪魔部3Aの先端までの突出長さｔは、０＜ｔ≦Ｌ−√（Ｌ２−Ｓ２）である。図4に示しているように、ＳがＬよりも小さいときには、邪魔部3Aから微小ボール4が抜け出すには、開口8の長さＷを少なくとも微小ボールの直径（２Ｒ）より大きくする必要がある。本実施形態の場合、開口8の長さＷは、篩孔2の直径Ｌ以上の大きさに形成される。即ち、突出長さｔは、Ｌ−ｔ＝√（Ｗ２−Ｓ２）の関係で表され、Ｗ＝Ｌとした場合には、Ｌ−ｔ＝√（Ｌ２−Ｓ２）となるので、篩孔2の一端部から突出した邪魔部3Aの先端までの突出長さｔは、Ｌ−√（Ｌ２−Ｓ２）以下ということになる。よって、突出長さｔが、Ｌ−√（Ｌ２−Ｓ２）以上になると、選別されるべき微小ボール4も通過しない。篩孔2の直径Ｌと微小ボール4の直径２Ｒとの差が小さくなるほど、顕著になる。一方、突出長さｔが、ｔ＝０では、篩孔2直下に邪魔部3Aが無い状態となるので、ダブルボール101が容易に通過し、邪魔部3Aの効果が得られない。
【００２７】
図5に示す微小ボール選別用篩10Bは、篩孔2出口面から邪魔部3Bまでの距離Ｓが、Ｌ≦Ｓ＜４Ｒの場合である。この場合、突出長さｔは、ｔ＞０かつ（Ｌ−ｔ）２＋Ｓ２＜９Ｒ２である。即ち、図5に示しているように、ＳがＬ以上のときは、邪魔部3Bによる開口8の長さＷが、微小ボール4の直径の３倍（３Ｒ）未満である。よって、Ｗは、Ｗ２＝（Ｌ−ｔ）２＋Ｓ２で表されるので、上記のようにＷ２＜９Ｒ２であることから、（Ｌ−ｔ）２＋Ｓ２＜９Ｒ２という関係になる。反対に、突出長さｔが、（Ｌ−ｔ）２＋Ｓ２≧９Ｒ２の関係になると、ダブルボール101が通過し易くなる。また、突出長さｔの上限は、特に無いが、篩本体1と同じ長さ、即ち、篩本体1と同じ大きさの邪魔部3Bになると微小ボール4が出てくるのが篩本体1周囲の隙間のみとなってしまうので、選別の効率が低下する。よって、突出長さｔは、篩幅より小さいのが好ましい。選別の効率を考えると、突出長さｔは、篩孔2を5つ閉塞する距離以下が好ましく、より好ましく、篩孔2を２つ閉塞する距離以下である。また、篩孔2を１つ閉塞する場合には、突出長さｔは、３Ｒ以下とするのが好ましい。
【００２８】
（変形例）
本発明は上記実施形態に限定されるものではなく、本発明の趣旨の範囲内で適宜変更することが可能である。たとえば、上記実施形態では、連結部5が邪魔部の一辺と略同じ長さに形成されている場合について説明したが、本発明はこれに限らず、図6に示すように、部分的に固定されていてもよい。また、図6(C)のように、固定箇所は、邪魔部の作用を妨げない場所であればよい。
【００２９】
邪魔部による篩孔の閉塞に関し、邪魔部と篩孔を同一面上に投影したときの重なりで見た場合に、邪魔部によって篩孔が全て閉塞されている場合や邪魔部によって篩孔の一部が閉塞されている場合がある（例えば、図4）。邪魔部の先端が直線的であると、邪魔部による篩孔の閉塞部分が、図7(a)に示したような平面投影図になるが、篩孔を直線的に閉塞していなくて、どのように形状で閉塞していても本発明の条件を満たせば、本発明の効果が得られるものである。篩孔2から視認することができる邪魔部3の先端形状は、例えば、図7(b)〜(d)のようなものもでもよい。
【００３０】
また、邪魔部3の先端形状や、連結部5の形態は、種々組み合わせることができる。
【００３１】
以下、実施例により、より具体的に本発明効果を説明する。
【実施例】
【００３２】
（実施例１）
図3に示すように、Ｌ＝１．０２ｍｍとし、Ｓ＝１．００ｍｍ、Ｓ＝１．０２ｍｍ、Ｓ＝１．５０ｍｍ、Ｓ＝１．５３ｍｍ、Ｓ＝１．９８ｍｍ、及びＳ＝２．００ｍｍの微小ボール選別用篩を用意した。ここで、邪魔部は、図3のように、篩孔２の孔口全面を閉塞するように形成した。各篩には、Ｌの直径を有する孔を、板厚０．５ｍｍに、１．５ｍｍピッチで篩目を１６００個配置した。邪魔部の板厚も０．５ｍｍとした。
【００３３】
球径公差±２０μmの１．００ｍｍ直径（Ｒ＝０．５０ｍｍ）の良品ボール約１万個にダブルボールを１０個故意に混入させ、前記篩を用いて篩った。同様の選別を５回行い、選別後のボールに混在しているダブルボールの平均を求めた。
【００３４】
表１に、その結果を示す。篩孔出口面から邪魔部までの距離Ｓが、Ｓ＝２Ｒであるとダブルボールは篩を通過しないが、良品ボールも通過しなかった（篩Ｎｏ．１）。Ｓが、２Ｒ＜Ｓ＜４Ｒの範囲であると、ダブルボールを効率よく選別でき、良品ボールは全て篩落とされた（篩Ｎｏ．２〜５）。特に、２Ｒ＜Ｓ＜３Ｒの範囲であると、ダブルボールが全て篩残され、良品ボールは全て篩落とされた（篩Ｎｏ．２〜３）。Ｓ＝４Ｒであると、多くのダブルボールも篩を通過して、十分な選別が出来なかった（篩Ｎｏ．６）。
【００３５】
【表１】
2014076424.tif 000003
【００３６】
（実施例２）
図4の本発明の微小ボール選別用篩であって、表２に示したようなＳ、Ｌ、及びｔのサイズを有するものをそれぞれ用意した。各篩には、Ｌの直径を有する孔を、それぞれ、板厚４０μmに、４５０μmピッチで篩目を１０万個配置した。邪魔部の板厚も４０μｍとした。
【００３７】
球径公差±１０μmの３００μm径良品ボール約１００万個にダブルボールを１０個故意に混入させ、各篩を用いて選別を行った。同様の選別を５回行い、選別後のボールに混在しているダブルボールの平均を求めた。
【００３８】
表２に、その結果を示す。ここでは、Ｓが、Ｒ＜Ｓ＜Ｌの場合である。ｔが、Ｌ−√（Ｌ２−Ｓ２）を超える場合（Ｎｏ．１、３）には、ダブルボールが通過しなかったが、良品ボールも通過しないものであった。ｔが、未満である場合（Ｎｏ．２、４）は、ダブルボールが全て篩残され、良品ボールは全て篩落とされた。ｔがゼロの場合（Ｎｏ．５）は、多くのダブルボールも篩を通過して、十分な選別が出来なかった。
【００３９】
【表２】
2014076424.tif 000004
【００４０】
（実施例３）
図5の本発明の微小ボール選別用篩であって、表２に示したようなＳ、Ｌ、及びｔのサイズを有するものをそれぞれ用意した。各篩には、Ｌの直径を有する孔を、それぞれ、板厚３０μmに、８０μmピッチで篩目を１０万個配置した。邪魔部の板厚は、４０μｍとした。
【００４１】
球径公差±５μmの４０μm径良品ボール約１００万個にダブルボールを１０個故意に混入させ、各篩を用いて選別を行った。同様の選別を５回行い、選別後のボールに混在しているダブルボールの平均を求めた。
【００４２】
表２に、その結果を示す。ここでは、Ｓが、Ｌ≦Ｓ＜４Ｒの場合である。（Ｌ−ｔ）２＋Ｓ２＜９Ｒ２の関係にある場合（Ｎｏ．１〜４）は、ダブルボールが全て篩残され、良品ボールは全て篩落とされた。（Ｌ−ｔ）２＋Ｓ２＜９Ｒ２の関係から外れた場合（Ｎｏ．５）は、多くのダブルボールも篩を通過して、十分な選別が出来なかった。
【００４３】
【表３】
2014076424.tif 000005
【符号の説明】
【００４４】
１  篩本体
２  篩孔
３  邪魔部
４  微小ボール
５  連結部
６  篩孔口
８  開口
【図１】
2014076424.tif 000006
【図２】
2014076424.tif 000007
【図３】
2014076424.tif 000008
【図４】
2014076424.tif 000009
【図５】
2014076424.tif 000010
【図６】
2014076424.tif 000011
【図７】
2014076424.tif 000012
【図８】
2014076424.tif 000013